(57)【要約】【課題】本発明は、充電装置に関するもので、磁束の漏洩を、実質的に問題とならないレベルにまで抑制することを目的とするものである。【解決手段】そして、この目的を達成するために本発明は、本体ケース８と、この本体ケース８内の上面９下に配置された充電コイル１０とを備え、前記充電コイル１０下方を、磁性体１３の下面部１４によって前記本体ケース８の外周面１５にまで覆うと共に、この磁性体１３の外周面部１６は、前記本体ケース８の上面９外周部にまで到達させ、前記磁性体１３の少なくとも本体ケース８の上面９外周部対応部分は、弾性を付与した充電装置。【選択図】図１
2013090353.tif 000002
【特許請求の範囲】
【請求項１】
本体ケースと、この本体ケース内の上面下に配置された充電コイルとを備え、前記充電コイル下方を、磁性体の下面部によって前記本体ケースの外周面にまで覆うと共に、この磁性体の外周面部は、前記本体ケースの上面外周部にまで到達させ、前記磁性体の少なくとも本体ケースの上面外周部対応部分は、弾性を付与した充電装置。
【請求項２】
本体ケースと、この本体ケース内の上面下に配置された充電コイルとを備え、前記本体ケースの下方を、磁性体の下面部によって前記本体ケースの外周面にまで覆うと共に、この磁性体の外周面部は、前記本体ケースの上面外周部にまで到達させ、前記磁性体の少なくとも本体ケースの上面外周部対応部分は、弾性を付与した充電装置。
【請求項３】
本体ケースと、この本体ケース内の上面下に配置された充電コイルとを備え、前記充電コイル下方を、磁性体の下面部によって前記本体ケースの外周面内側まで覆うと共に、この磁性体の外周面部は、前記本体ケースの外周面内側を上方に延長して、前記本体ケースの上面外周部にまで到達させ、前記磁性体の少なくとも本体ケースの上面外周部対応部分は、弾性を付与した充電装置。
【発明の詳細な説明】
【技術分野】
【０００１】
本発明は、例えば、車両に搭載される充電装置に関する。
【背景技術】
【０００２】
従来のこの種充電装置は、図３に示すごとく本体ケース１と、この本体ケース１内の上面２下に配置された充電コイル３とを備え、前記充電コイル３の下方は、板状の磁性体４で覆った構成となっていた（例えば、下記特許文献１）。
【先行技術文献】
【特許文献】
【０００３】
【特許文献１】特開２０１１−９６７３７号公報
【発明の概要】
【発明が解決しようとする課題】
【０００４】
前記従来例において、携帯機器５の充電を行うときには、この図３に示すごとく充電装置の上面２上に携帯機器５を設置し、その状態で充電コイル３に通電すれば、充電コイル３から放出される磁束によって、携帯機器５の充電が行われることになる。
【０００５】
そして、この充電時において、充電コイル３下方への磁束の漏洩は、磁性体４によって阻止するようにしている。
【０００６】
しかしながら、従来の磁性体４は、充電コイル３よりも僅かに大きなものとなっているだけであるので、この図３に示すごとく、充電コイル３近傍の磁束６は、磁性体４を通過させることで漏洩を防止できるが、磁性体４の外周に存在する磁束７の一部は、磁性体４の外周を漏洩してしまうことになる。
【０００７】
つまり、充電コイル３の下方に、この充電コイル３よりも僅かに大きな磁性体４を設けただけでは、磁束の漏洩を、実質的に問題とならないレベルにまで抑制することが難しく、磁束の漏洩が課題となっていた。
【０００８】
そこで、本発明は、磁束の漏洩を、実質的に問題とならないレベルにまで抑制することを目的とするものである。
【課題を解決するための手段】
【０００９】
そしてこの目的を達成するために本発明は、本体ケースと、この本体ケース内の上面下に配置された充電コイルとを備え、前記充電コイル下方を、磁性体の下面部によって前記本体ケースの外周面にまで覆うと共に、この磁性体の外周面部は、前記本体ケースの上面外周部にまで到達させ、前記磁性体の少なくとも本体ケースの上面外周部対応部分は、弾性を付与し、これにより所期の目的を達成するものである。
【発明の効果】
【００１０】
以上のように本発明は、本体ケースと、この本体ケース内の上面下に配置された充電コイルとを備え、前記充電コイル下方を、磁性体の下面部によって前記本体ケースの外周面にまで覆うと共に、この磁性体の外周面部は、前記本体ケースの上面外周部にまで到達させ、前記磁性体の少なくとも本体ケースの上面外周部対応部分は、弾性を付与したものであるので、磁束の漏洩を、実質的に問題とならないレベルにまで抑制することができる。
【００１１】
すなわち、本発明においては、磁性体の下面部を前記本体ケースの外周面にまで覆うと共に、この磁性体の外周面部は、前記本体ケースの上面外周部にまで到達させたものであるので、充電コイルから放出される磁束は、磁性体の下面部、外周面部を通過するようになり、この結果として、充電コイル近傍はもちろん、その外周部を通過する磁束も外部へは漏洩し難くなり、その結果として、磁束の漏洩を、実質的に問題とならないレベルにまで抑制することができるのである。
【００１２】
また、本発明においては、磁束の漏洩を抑制するための前記磁性体の少なくとも本体ケースの上面外周部対応部分に、弾性を付与したものであるので、本体ケースの上面上に装着された携帯機器が本体ケースの上面外に落下するのを抑制することができ、しかも、この落下抑制のための部分には、弾性が付与されているので、携帯機器に対する損傷を防止することもできる。
【図面の簡単な説明】
【００１３】
【図１】本発明の実施の形態１にかかる充電装置を示す断面図
【図２】本発明の実施の形態２にかかる充電装置を示す断面図
【図３】従来の充電装置を示す断面図
【発明を実施するための形態】
【００１４】
以下、本発明の一実施の形態を、図面を用いて説明する。
（実施の形態１）
図１において、８は、箱状の本体ケースで、少なくともその上面９は、磁束が通過することができるように合成樹脂により形成されている。また、この本体ケース８の上面９下には、充電コイル１０が配置されている。
【００１５】
さらに、充電コイル１０の下面は、磁性体１１によって、覆われた状態となっている。また、前記本体ケース８の下面１２下方には、磁性体１３が設けられている。この磁性体１３の下面部１４は、前記本体ケース８の外周面１５まで覆うと共に、この磁性体１３の外周面部１６は、前記本体ケース８の上面９外周部にまで到達した状態となっている。磁性体１３の外周面部１６で前記本体ケース８の上面９外周部にまで到達した部分は、この図１に示すごとく、本体ケース８の上面９外周部分を覆った状態で、断面が半円形となっている。
【００１６】
この磁性体１３は、例えば、フェライトの粉末をゴムに混入して形成したものであって、全体として弾性が付与されたものとなっている。
【００１７】
以上の構成において、図１に示すごとく、携帯機器１７の充電を行うときには、この携帯機器１７を本体ケース８の上面９上に装着すると、充電コイル１０から放出される磁束によって充電が行われることになる。
【００１８】
本実施形態においては、充電コイル１０から放出される近傍の磁束１８は、充電コイル１０の下方に設けた磁性体１１を通過するようになり、また、充電コイル１０の外周を通過する磁束１９は、磁性体１３の下面部１４、外周面部１６を通過するようになり、この結果として、充電コイル１０近傍の磁束１８はもちろん、その外周部を通過する磁束１９も外部へは漏洩し難くなり、その結果として、磁束１８、１９の漏洩を、実質的に問題とならないレベルにまで抑制することができるのである。
【００１９】
また、本実施形態においては、磁束の漏洩を抑制するための前記磁性体１３の少なくとも本体ケース８の上面９外周部対応部分に、弾性を付与したものであるので、本体ケース８の上面９上に装着された携帯機器１７が、例えば、運転時に加わる振動や衝撃によって
、本体ケース８の上面９外に落下するのを抑制することができる。つまり、この図１に示すごとく、磁性体１３によって、本体ケース８の上面９外周に落下抑制のためのガードが形成された状態となるのである。また、このガード部分には、弾性が付与されているので、携帯機器１７に対する損傷を防止することもできる。
（実施の形態２）
図２は、実施の形態２を示し、図１と同一部分については、同一番号を付している。
【００２０】
図２において、２０は、上面が開口した箱状の本体ケースで、この本体ケース２０の上面開口部には、磁束が通過することができるように合成樹脂で形成された上面２１が配置されている。また、この本体ケース２０の上面２１下には、充電コイル１０が配置されている。
【００２１】
さらに、充電コイル１０の下面は、磁性体２２によって、覆われた状態となっている。
【００２２】
磁性体２２は、上面が開口した容器状となっており、その下面部２３と外周面部２４は、本体ケース２０内に収納されている。この状態において、磁性体２２の下面部２３は、前記本体ケース２０内を、その外周面部２５まで覆うと共に、この磁性体２２の外周面部２４は、前記本体ケース２０の外周面部２５内面に到達後、上方に立ち上がり、上面２１の外周部まで到達し、その後、外周面部２５の上端部を覆った状態となっている。磁性体２２の本体ケース２０の外周面部２５の上端部を覆った部分（上面２１の外周部近傍）は、この図２に示すごとく、本体ケース２０の上面２１の外周部と本体ケース２０の外周面部２５上端部を覆った状態で、断面が半円形となっている。
【００２３】
この磁性体２２は、例えば、フェライトの粉末をゴムに混入して形成したものであって、全体として弾性が付与されたものとなっている。
【００２４】
以上の構成において、図２に示すごとく、携帯機器１７の充電を行うときには、この携帯機器１７を本体ケース２０の上面２１上に装着すると、充電コイル１０から放出される磁束によって充電が行われることになる。
【００２５】
本実施形態においては、充電コイル１０から放出される近傍の磁束２６は、充電コイル１０の下方に設けた磁性体２２の下面部２３を通過するようになり、また、充電コイル１０の外周を通過する磁束２７は、磁性体２２の下面部２３、外周面部２４を通過するようになり、この結果として、充電コイル１０近傍の磁束２６はもちろん、その外周部を通過する磁束２７も外部へは漏洩し難くなり、その結果として、磁束２６、２７の漏洩を、実質的に問題とならないレベルにまで抑制することができるのである。
【００２６】
また、本実施形態においては、磁束の漏洩を抑制するための前記磁性体２２の少なくとも本体ケース２０の上面２１外周部対応部分に存在する部分は、弾性を付与したものであるので、本体ケース２０の上面２１上に装着された携帯機器１７が、例えば、運転時に加わる振動や衝撃によって、本体ケース２０の上面２１外に落下するのを抑制することができる。つまり、この図２に示すごとく、磁性体２２によって、本体ケース２０の上面２１外周に落下抑制のためのガードが形成された状態となるのである。また、このガード部分には、弾性が付与されているので、携帯機器１７に対する損傷を防止することもできる。
【産業上の利用可能性】
【００２７】
以上のように本発明は、磁性体の下面部を前記本体ケースの外周面にまで覆うと共に、この磁性体の外周面部は、前記本体ケースの上面外周部にまで到達させたものであるので、充電コイルから放出される磁束は、磁性体の下面部、外周面部を通過するようになり、この結果として、充電コイル近傍はもちろん、その外周部を通過する磁束も外部へは漏洩
し難くなり、その結果として、磁束の漏洩を、実質的に問題とならないレベルにまで抑制することができるのである。
【００２８】
また、本発明においては、磁束の漏洩を抑制するための前記磁性体の少なくとも本体ケースの上面外周部対応部分に、弾性を付与したものであるので、本体ケースの上面上に装着された携帯機器が本体ケースの上面外に落下するのを抑制することができ、しかも、この落下抑制のための部分には、弾性が付与されているので、携帯機器に対する損傷を防止することもできる。
【００２９】
したがって、本発明の充電装置は、車載や家庭における充電装置としての活用が期待されるものとなる。
【符号の説明】
【００３０】
１、８、２０  本体ケース
３、１０  充電コイル
４、１１、１３、２２  磁性体
５、１７  携帯機器
６、７、１８、１９、２６、２７  磁束
【図１】
2013090353.tif 000003
【図２】
2013090353.tif 000004
【図３】
2013090353.tif 000005